(57)【要約】【課題】ボタンユニットの取り付け部分の耐久性を向上し得る遊技機を提供する。【解決手段】筐体の前側に前扉１２が開閉自在に配設される。前扉１２の操作盤部２３を構成する上壁部２４に開口部２４ａが形成され、操作盤部２３の裏側に配設されたボタンユニット４５の操作部５０が開口部２４ａから上側に延出する。操作盤部２３を構成する前壁部２５の裏側に支持部材６６が設けられ、該支持部材６６の上面とボタンユニット４５の下面との間に、支持ベース６７が配設される。支持ベース６７は、支持部材６６とボタンユニット４５との対向面の両方に当接し、操作部５０を押圧操作した際にボタンユニット４５に掛かる負荷を支持ベース６７を介して支持部材６６で受け得るよう構成される。【選択図】図５
2016036580.tif 000002
【特許請求の範囲】
【請求項１】
前面部材に着脱自在に取り付けられた操作ボタンの押圧操作に伴って遊技演出を切り替え可能に構成された遊技機において、
前記前面部材に着脱自在に配設され、前記操作ボタンを押圧操作方向に進退移動可能に保持するボタンユニットと、
前記ボタンユニットから前記操作ボタンの前記押圧操作方向に離間する支持部材と、
前記ボタンユニットおよび支持部材の間に着脱自在に配設され、該ボタンユニットおよび支持部材に対して前記押圧操作方向で対向する面の夫々に当接する支持ベースとを備えた
ことを特徴とする遊技機。
【請求項２】
前記前面部材の裏側で取付口が開口するよう形成され、該取付口を介して前記ボタンユニットを収納可能なユニット収納部と、
前記ユニット収納部を画成する壁部に形成され、前記取付口を介してユニット収納部に収納された前記ボタンユニットの操作ボタンが嵌合する開口部と、
前記操作ボタンを開口部に嵌合させた取付け位置において前記ボタンユニットの被固定部が固定される固定部とを備え、
前記固定部に被固定部を介して固定された前記ボタンユニットと支持部材との間に、前記取付口を介して前記支持ベースが挿脱自在に挿入されるよう構成された請求項１記載の遊技機。
【請求項３】
前記取付口は、前記押圧操作方向と交差する方向に開口し、
前記前面部材において前記取付口に向く壁部に前記固定部が設けられ、
前記ユニット収納部に収納された前記ボタンユニットの被固定部が前記固定部における前記取付口側に重なり、該被固定部が取付口側から固定手段によって固定部に着脱自在に固定されるよう構成された請求項２記載の遊技機。
【請求項４】
前記ボタンユニットの前部に、固定手段を介して前記前面部材に設けた固定部に着脱自在に固定される被固定部が設けられ、該被固定部が固定部に固定されたボタンユニットの後部側が前記支持ベースで当接支持されるよう構成される請求項１〜３の何れか一項に記載の遊技機。
【発明の詳細な説明】
【技術分野】
【０００１】
この発明は、遊技者が操作可能な操作ボタンを備えた遊技機に関するものである。
【背景技術】
【０００２】
従来からパチンコ機やスロットマシンなどの遊技機では、遊技者が操作可能な演出用の操作ボタンを設け、該操作ボタンの操作に応じて液晶ディスプレイや可動役物などの演出態様に変化を与え、遊技者の参加意識を高めて興趣を向上させることが行われている(例えば特許文献１参照)。特許文献１では、遊技機における筐体の前面に設けられた前扉(前面部材)の操作部表装板に開口部が設けられ、操作ボタンを備えるスイッチケースに形成された耳部を操作部表装板にネジ止め固定することで、開口部から操作ボタンが表側に臨む状態でスイッチケースが操作部表装板の裏側に位置決め固定されている。
【先行技術文献】
【特許文献】
【０００３】
【特許文献１】特開２００９−２１９５６７号公報
【発明の概要】
【発明が解決しようとする課題】
【０００４】
特許文献１では、操作部表装板の裏側に臨むスイッチケースの底部と操作部表装板の下面部との間に隙間が画成されており、該スイッチケースは耳部でのみ操作部表装板に支持された状態となっている。このため、操作ボタンの操作が繰り返されると耳部と操作部表装板とのネジ止め部に大きな負荷が反復的に加わり、該ネジ止め部が緩んでガタ付きを生じたり、該ネジ止め部が破損する等、スイッチケースの取り付け部分の耐久性に問題があった。
【０００５】
すなわち本発明は、従来の技術に係る遊技機に内在する前記問題に鑑み、これらを好適に解決するべく提案されたものであって、ボタンユニットの取り付け部分の耐久性を向上し得る遊技機を提供することを目的とする。
【課題を解決するための手段】
【０００６】
前記課題を克服し、所期の目的を達成するため、本願の請求項１に係る発明は、
前面部材(12)に着脱自在に取り付けられた操作ボタン(46)の押圧操作に伴って遊技演出を切り替え可能に構成された遊技機において、
前記前面部材(12)に着脱自在に配設され、前記操作ボタン(46)を押圧操作方向に進退移動可能に保持するボタンユニット(45)と、
前記ボタンユニット(45)から前記操作ボタン(46)の前記押圧操作方向に離間する支持部材(66)と、
前記ボタンユニット(45)および支持部材(66)の間に着脱自在に配設され、該ボタンユニット(45)および支持部材(66)に対して前記押圧操作方向で対向する面の夫々に当接する支持ベース(67)とを備えたことを要旨とする。
【０００７】
請求項１に係る発明によれば、支持部材に支持ベースを介してボタンユニットを支持するよう構成したので、操作ボタンの操作時に作用する押圧力を支持部材で受けることができ、ボタンユニットの取り付け部分の耐久性を向上し得る。
【０００８】
請求項２に係る発明では、前記前面部材(12)の裏側で取付口(28a)が開口するよう形成され、該取付口(28a)を介して前記ボタンユニット(45)を収納可能なユニット収納部(28)と、
前記ユニット収納部(28)を画成する壁部(24)に形成され、前記取付口(28a)を介してユニット収納部(28)に収納された前記ボタンユニット(45)の操作ボタン(46)が嵌合する開口部(24a)と、
前記操作ボタン(46)を開口部(24a)に嵌合させた取付け位置において前記ボタンユニット(45)の被固定部(58)が固定される固定部(63)とを備え、
前記固定部(63)に被固定部(58)を介して固定された前記ボタンユニット(45)と支持部材(66)との間に、前記取付口(28a)を介して前記支持ベース(67)が挿脱自在に挿入されるよう構成されたことを要旨とする。
請求項２に係る発明によれば、前面部材に対してボタンユニットおよび支持ベースは、何れも前面部材の裏側から取り付けられるので、ボタンユニットの交換作業を容易に行い得る。
【０００９】
請求項３に係る発明では、前記取付口(28a)は、前記押圧操作方向と交差する方向に開口し、
前記前面部材(12)において前記取付口(28a)に向く壁部(25)に前記固定部(63)が設けられ、
前記ユニット収納部(28)に収納された前記ボタンユニット(45)の被固定部(58)が前記固定部(63)における前記取付口(28a)側に重なり、該被固定部(58)が取付口(28a)側から固定手段(61,62)によって固定部(63)に着脱自在に固定されるよう構成されたことを要旨とする。
請求項３に係る発明によれば、ユニット収納部に対してボタンユニットを収納する取付口の開口側から該ボタンユニットの被固定部を固定部に固定することができるので、ボタンユニットの交換時における作業性が向上する。
【００１０】
請求項４に係る発明では、前記ボタンユニット(45)の前部に、固定手段(61,62)を介して前記前面部材(12)に設けた固定部(63)に着脱自在に固定される被固定部(58)が設けられ、該被固定部(58)が固定部(63)に固定されたボタンユニット(45)の後部側が前記支持ベース(67)で当接支持されるよう構成されることを要旨とする。
請求項４に係る発明によれば、操作ボタンの操作時に作用する押圧力が被固定部に加わるのを抑えることができ、被固定部と固定部との固定状態が緩んだり被固定部が破損するのを防止し得る。
【発明の効果】
【００１１】
本発明に係る遊技機によれば、ボタンユニットの取り付け部分の耐久性を向上することができる。
【図面の簡単な説明】
【００１２】
【図１】実施例に係るスロットマシンを示す正面図である。
【図２】実施例に係るスロットマシンの筐体に対して前扉を開放すると共にリール・制御ユニットを非収納位置に回動した状態を示す概略斜視図である。
【図３】実施例に係るスロットマシンの筐体、リール・制御ユニットおよび前扉を分解して前側から見た概略斜視図である。
【図４】実施例に係るスロットマシンのリール・制御ユニットおよび前扉を分解して後側から見た概略斜視図である。
【図５】実施例に係る前扉(操作盤部)に対するボタンユニットの取り付け部位を示す要部縦断側面図である。
【図６】実施例に係る前扉(操作盤部)に対するボタンユニットの取り付け部位を示すものであって、前扉(操作盤部)に対してボタンユニットを第１ネジでネジ止めする部分で示す要部縦断側面図である。
【図７】実施例に係る前扉(操作盤部)に対するボタンユニットの取り付け部位を示すものであって、前扉(操作盤部)に対してボタンユニットおよび支持ベースを第２ネジでネジ止めする部分で示す要部縦断側面図である。
【図８】実施例に係る前扉(操作盤部)に対するボタンユニットの取り付け部位を示すものであって、ボタンユニットが支持ベースを介して支持部材で支持されている状態を後側から見た概略斜視図である。
【図９】実施例に係る前扉(操作盤部)に対するボタンユニットの取り付け部位を示すものであって、前扉(操作盤部)に対するボタンユニットおよび支持ベースの取り付け前の状態を示す要部縦断側面図である。
【図１０】実施例に係る前扉(操作盤部)に対するボタンユニットの取り付け部位を示すものであって、前扉(操作盤部)に対するボタンユニットおよび支持ベースを分解した状態を後側から見た概略斜視図である。
【図１１】実施例に係るボタンユニットの分解斜視図である。
【図１２】実施例に係るボタンユニットを示すものであって、(ａ)は正面図、(ｂ)は側面図、(ｃ)は底面図である。
【図１３】実施例に係るスロットマシンの制御装置に係るブロック図である。
【図１４】遊技機としてのパチンコ機を示す正面図である。
【発明を実施するための形態】
【００１３】
次に、本発明に係る遊技機につき、好適な実施例を挙げて、添付図面を参照して以下に説明する。なお、実施例では、遊技機として、メダル(遊技媒体)を用いてゲーム(遊技)を行うスロットマシンを例に挙げて説明する。また、以下の説明において、「前」、「後」、「左」、「右」とは、特に断りのない限り、図１に示すようにスロットマシンを前側(遊技者側)から見た状態で指称する。
【実施例】
【００１４】
(スロットマシン１０について)
実施例に係るスロットマシン１０は、図１〜図４に示すように、前側に開口する箱状にに形成されて遊技店の図示しない設置枠台に設置される本体としての筐体１１と、該筐体１１の前側に開閉自在に配設された前面部材としての前扉１２とを備えている。また筐体１１には、複数の図柄(図示せず)を周囲に配置した複数(実施例では３つ)のリール１３ａ,１３ｂ,１３ｃを備えたリールユニット１４および各種制御を実行する複数の制御装置１５,１６を備えた制御ユニット１７を有するリール・制御ユニット１８と、メダルを払い出すためのホッパー装置１９が収納配置されている。
【００１５】
(筐体１１について)
前記筐体１１は、天板、底板、左右の側板および背板を相互に組み付けることで前側に開口する箱状に形成された部材であって、該筐体１１の内部に画成された収容空間２０に、前記リール・制御ユニット１８およびホッパー装置１９が収納された状態で、前記前扉１２によって筐体１１の前部開口が閉じられるよう構成される。
【００１６】
(前扉１２について)
前記前扉１２は、前記筐体１１の前部開口を閉成可能な外形サイズに形成されると共に、該筐体１１の左側部に設けられて上下に離間する軸支持部９７(図３参照)に該前扉１２が回動自在に支持されて、前扉１２は、筐体１１の前部開口を閉成する閉成位置と、該筐体１１の前部開口を開放する開放位置(図２参照)との間を回動し得るよう構成されている。また前扉１２は、該前扉１２および筐体１１の右側部に設けられた施錠装置９８によって閉成位置に保持されるよう構成されており、該施錠装置９８の施錠状態を解除することで該前扉１２を開放位置に回動し得るようになっている。
【００１７】
前記前扉１２は、図４に示す如く、本体をなす金属製の枠体９３の上部側に、表示装置２１が着脱自在に取り付けられる取付枠部２２が設けられると共に、該枠体９３における取付枠部２２より下側前面に、後述するスピーカ４０等の各種遊技部品が取り付けられる取付けユニット９４が着脱自在に取り付けられる。前記表示装置２１は、ゲームの進行に応じて種々の画像や動画等を表示するものであって、取付枠部２２に対して裏側から着脱自在に取り付けられて、該表示装置２１の表示部が取付枠部２２の前後に開口する開口部を介して前側に視認可能に臨むよう構成される。なお、取付枠部２２の開口部にはガラス等の透明部材２２ａが配設されて表示装置２１の表示部を保護している(図３参照)。表示装置２１で表示する画像等としては、予め設定された各種の入賞役に当選した時に、当該当選を遊技者に報知するための画像や、遊技者の興趣を向上させるようなキャラクター動画等が挙げられる。また、表示装置２１としては、例えば有機ＥＬ(Electro-Luminescence)等、その他の表示原理が異なる各種装置を用いることができる。
【００１８】
(操作盤部２３について)
前記取付けユニット９４は、前記枠体９３に取り付けられる基体９５の前側に、後側に開口する略箱状に形成された操作盤ユニット９６が着脱自在に取り付けられている。操作盤ユニット９６の上部には、前記枠体９３の前面から前方に突出する操作盤部２３が設けられており、該操作盤部２３に各種スイッチやボタン等が配設されている。操作盤部２３は、図１,図３に示す如く、前記前扉１２の幅方向の全長に亘って前記取付枠部２２の前面から前側に延出する上壁部２４と、該上壁部２４の前端縁から下方に延在する前壁部２５と、上壁部２４の左右両端縁から下方に延在すると共に前壁部２５の左右両端縁に接続する左側壁部２６および右側壁部２７とから構成されて、該操作盤部２３は後方および下方に開口するよう構成される図９参照)。すなわち、操作盤部２３の裏側には、上壁部２４、前壁部２５および左右の側壁部２６,２７によって、後方(裏側)に取付口２８ａが開口するユニット収納部２８が形成されており、該ユニット収納部２８に、後述するボタンユニット４５が取付口２８ａを介して収納されるようになっている。そして、前記筐体１１に対して前扉１２を開放位置に回動することで、操作盤部２３の裏側が筐体１１の前側に露出して、ユニット収納部２８に対するボタンユニット４５の取り付け作業およびユニット収納部２８からのボタンユニット４５の取り外し作業を行い得るよう構成される。実施例では、前記基体９５における操作盤部２３の取付口２８ａに対応する位置に前後方向に開口する開口部９５ａが開設されており、該開口部９５ａおよび取付口２８ａを介してユニット収納部２８が後方に開口するようになっている(図５〜図７等参照)。
【００１９】
前記操作盤部２３の上壁部２４には、図１に示す如く、右端部側に偏った位置に、メダルを投入するための投入口２９が設けられると共に、左端部側に偏った位置に、スロットマシン１０の記憶手段に電子的に貯留されているクレジットメダルを１回の遊技について投入可能な最大枚数(例えば３枚)投入するＭＡＸ投入ボタン３０が設けられている。なお、実施例のスロットマシン１０では、クレジットメダルを１枚投入する投入ボタン３１が、前記前壁部２５における左端部側に偏った位置に設けられると共に、該投入ボタン３１に隣り合う位置に、前記記憶手段に電子的に貯留されているクレジットメダルや投入されたメダルを精算するための払出しボタン９９が設けられており、該払出しボタン９９を操作することでメダルが払い出されるようになっている。また、上壁部(ユニット収納部２８を画成する壁部)２４には、左右方向の中央に、上下方向(表裏方向)に貫通する開口部２４ａが形成されており(図９,図１０参照)、該開口部２４ａから前記ボタンユニット４５の演出操作ボタン４６が上側(表側)に延出するようになっている。なお、ユニット収納部２８の取付口２８ａは、該ユニット収納部２８に収納されたボタンユニット４５における演出操作ボタン４６の押圧操作方向と交差する方向に開口している。また、実施例の操作盤部２３は、前記上壁部２４が前側に向かうにつれて下方傾斜しており、前記ユニット収納部２８に収納されたボタンユニット４５の前記開口部２４ａから延出する演出操作ボタン４６の押圧面が、前側に向けて斜め上向き姿勢となって、遊技者から押圧面が見易くなるよう構成される。
【００２０】
前記操作盤部２３の前壁部２５には、図１,図３に示す如く、左端部側に偏った位置に、遊技者の操作により前記リール１３ａ,１３ｂ,１３ｃを回転始動させてゲームを開始させるスタートレバー３２が設けられると共に、該前壁部２５の中央には、遊技者の操作により各リール１３ａ,１３ｂ,１３ｃを回転停止させるためのストップボタン３３ａ,３３ｂ,３３ｃが各リール１３ａ,１３ｂ,１３ｃに対応して横並びに設けられている。また、前記前扉１２の下部中央(前記基体９５における操作盤ユニット９６の配設位置より下側中央)に、前記ホッパー装置１９から払い出されたメダルの排出口３４が設けられると共に、前扉１２の最下部(基体９５の最下部)に、該排出口３４から排出されたメダルを貯留する受け皿３５が設けられている。なお、前扉１２の前面には、前記操作盤部２３と受け皿３５との間の領域に、当該スロットマシン１０のモチーフとなるキャラクタ等や機種名等の各種の情報が表示された装飾パネル３６が配設されている。
【００２１】
前記スロットマシン１０では、前記投入口２９にメダルを投入するか、または前記投入ボタン３０,３１を操作すると、メダルが投入されてスタートレバー３２の操作が有効化されるようになっている。そして、有効化されたスタートレバー３２が操作されると、これに伴ってゲームが開始される。また、ゲームが開始されると、メイン制御装置１５において入賞役に当選か否かを決定する入賞役抽選が実行されて複数種類の入賞役の何れかまたははずれが決定されると共に、各リール１３ａ,１３ｂ,１３ｃが回転を開始する。その後、各ストップボタン３３ａ,３３ｂ,３３ｃの操作が有効化され、有効化されたストップボタン３３ａ,３３ｂ,３３ｃが操作されると、操作されたストップボタン３３ａ,３３ｂ,３３ｃに対応するリール１３ａ,１３ｂ,１３ｃの回転が停止される。そして、全てのリール１３ａ,１３ｂ,１３ｃが停止することで１回のゲームが終了し、このゲームの結果、予め定められた入賞役に対応する図柄の組合わせが入賞ライン上に揃った場合は、入賞した入賞役に対応付けられた処理が実行されるようになっている。
【００２２】
ここで、前記入賞役には、所定数のメダルが払い出される小役や、メダルを投入することなくゲームを実行できるリプレイ役や、次回以降に遊技者に有利な特殊ゲームが開始されるボーナス役等、その他各種の入賞役が設定されている。
【００２３】
前記前扉１２における前記取付枠部２２の前面に、前後に開口する開口部をガラス板や透明な合成樹脂材により形成された透明保護板で覆った表示窓部３７ａが設けられた前部装飾ユニット３７が着脱自在に配設されており、該前部装飾ユニット３７の表示窓部３７ａを介して前記表示装置２１の表示部がスロットマシン１０の前側から視認可能に構成される。実施例の表示装置２１は、前記リールユニット１４におけるリール１３ａ,１３ｂ,１３ｃに対応する部位の前側に重ならないように位置しており、各リール１３ａ,１３ｂ,１３ｃの図柄が前記表示窓部３７ａを介してスロットマシン１０の前側から視認し得るようになっている。実施例では、表示窓部３７ａを介してリール１３ａ,１３ｂ,１３ｃに付された複数の各種図柄が、入賞ライン上に揃い得るように縦方向に３つずつ、合計９個の図柄を視認し得るよう構成されている。なお、図１においては、表示窓部３７ａを介して視認可能な表示装置２１は図示省略してある。
【００２４】
前記前部装飾ユニット３７に、表示窓部３７ａの外周を囲繞するようにランプ装置３８が配設されると共に、動作を行う各種の可動演出装置３９(図１３参照)が配設されている。また、前記前扉１２には、前記受け皿３５や前記前部装飾ユニット３７の裏側に臨む位置にスピーカ４０が夫々配設されている(図２,図４参照)。そして、前記表示装置２１で実行される表示演出に合わせて、前部装飾ユニット３７に設けたランプ装置３８による発光演出や可動演出装置３９による動作演出および前扉１２に設けたスピーカ４０による音演出等を実行することで興趣を向上し得るようになっている。
【００２５】
ここで、前記ホッパー装置１９は、メダルを所定量だけ貯留可能なタンク１９ａと、該タンク１９ａに貯留されているメダルを払い出す払出し機構部１９ｂとを備えている。ホッパー装置１９は、メダルの払出しの条件が成立すると、払出し機構部１９ｂが作動してタンク１９ａのメダルを払い出すよう構成される。ここで、払出しの条件とは、所定数のメダルが払い出されるよう設定された入賞役の入賞や、前記払出しボタン９９の操作等がある。また、タンク１９ａには、投入口２９から投入されたメダルが貯留されるようになっている。すなわち、スロットマシン１０では、ゲームを行うために投入口２９に投入したメダルをホッパー装置１９に貯留し、該貯留したメダルを払い出し用に用いるようになっている。
【００２６】
(リール・制御ユニット１８について)
前記リール・制御ユニット１８は、図２〜図４に示す如く、リール１３ａ,１３ｂ,１３ｃを備えたリールユニット１４および制御装置１５,１６を備えた制御ユニット１７を支持枠４１に組み付けてユニット化したものであって、前記筐体１１の左側部に設けられて前記前扉１２が支持される前記軸支持部９７を利用して該支持枠４１が回動自在に支持されて、リールユニット１４および制御ユニット１７が筐体１１の収容空間２０に収納された収納位置と、該リールユニット１４および制御ユニット１７が筐体１１の収容空間２０から前側に出された非収納位置(図２参照)との間をリール・制御ユニット１８が回動し得るよう構成されている。またリール・制御ユニット１８は、筐体１１および支持枠４１の右側部に設けられた係止装置１００によって収納位置に係止保持されるよう構成されており、該係止装置１００の係止状態を解除することで該リール・制御ユニット１８を非収納位置に回動し得るようになっている。
【００２７】
(リールユニット１４について)
前記リールユニット１４は、前記支持枠４１の下部側に配設されている。このリールユニット１４は、支持枠４１に取り付けられて前側に開口するリールケース４２の内部に、前記３つのリール１３ａ,１３ｂ,１３ｃが横並びに配置され、各リール１３ａ,１３ｂ,１３ｃは、外周に配置された図柄を上下方向に移動し得るように左右に延在する軸を中心として回転自在に支持されている。また、各リール１３ａ,１３ｂ,１３ｃは、リールケース４２の内部に配設したステッピングモータなどのパルス制御可能な駆動モータ４３ａ,４３ｂ,４３ｃ(図１３参照)によって夫々独立して回転駆動し得るよう構成されている。そして、前記スタートレバー３２が操作されたことを契機として、駆動モータ４３ａ,４３ｂ,４３ｃが回転駆動されて３つのリール１３ａ,１３ｂ,１３ｃが回転を開始し、前記各ストップボタン３３ａ,３３ｂ,３３ｃが操作されたことを契機として、操作された各ストップボタン３３ａ,３３ｂ,３３ｃにより回転停止が対応付けられたリール１３ａ,１３ｂ,１３ｃの駆動モータ４３ａ,４３ｂ,４３ｃが停止するようになっている。
【００２８】
(制御ユニット１７について)
前記制御ユニット１７は、前記支持枠４１におけるリールユニット１４の配設位置より上側に配設されている。この制御ユニット１７は、支持枠４１に配設された収納部材４４に、メイン制御装置１５およびサブ制御装置１６が取り付けられて構成される。実施例では、収納部材４４を構成する後壁の後面側にメイン制御装置１５が取り付けられると共に、該後壁の前面側にサブ制御装置１６が取り付けられており(図４参照)、該メイン制御装置１５およびサブ制御装置１６は図示しない配線を介して電気的に接続されている。メイン制御装置１５には、図１３に示す如く、前記投入ボタン３０,３１、スタートレバー３２、ストップボタン３３ａ,３３ｂ,３３ｃ、駆動モータ４３ａ,４３ｂ,４３ｃ、ホッパー装置１９等が接続されている。なお、投入ボタン３０,３１、スタートレバー３２、ストップボタン３３ａ,３３ｂ,３３ｃは、該投入ボタン３０,３１、スタートレバー３２、ストップボタン３３ａ,３３ｂ,３３ｃが操作された際に操作信号を出力するスイッチを備えている。そして、メイン制御装置１５は、投入ボタン３０,３１、スタートレバー３２、ストップボタン３３ａ,３３ｂ,３３ｃ等からの操作信号の入力に基づいて、リール１３ａ,１３ｂ,１３ｃの動作制御および入賞役抽選等の、主としてスロットマシン１０の遊技に関する各種制御を行うよう構成されている。これに対してサブ制御装置１６には、図１３に示す如く、前記表示装置２１、ランプ装置３８、スピーカ４０、可動演出装置３９等が接続されている。そして、サブ制御装置１６は、遊技の進行に応じた画像や動画等の選択、表示装置２１の表示態様、ランプ装置３８の発光態様、可動演出装置３９の動作態様およびスピーカ４０の音出力態様等に関する、主にスロットマシン１０における遊技の演出に関する各種制御を行うよう構成されている。なお、サブ制御装置１６には、前記ボタンユニット４５に設けられている後述する操作検出手段４８や振動発生源５３が接続される。
【００２９】
前記各制御装置１５,１６は、ＣＰＵ、ＲＯＭ、ＲＡＭ等の各種電子部品を実装した対応する制御基板を基板ケースに収納して構成されている。また基板ケースは、ベース体とカバー体とをカシメ固定等することによって制御基板を封入するよう構成されており、該制御基板に実装されているＲＯＭ等の電子部品が不正な電子部品に取り替えられる不正行為が行われるのを防止し得る構造になっている。
【００３０】
(ボタンユニット４５について)
前記操作盤部２３には、前記表示装置２１における演出進行の表示内容や前記可動演出装置３９における動作態様等の遊技演出を押圧操作により切り替えることが可能な演出操作ボタン４６を備えるボタンユニット４５が着脱自在に配設されている。ボタンユニット４５は、図１１に示す如く、上方に開口する矩形箱状の箱状本体４７と、該箱状本体４７に一部が収容されて押圧操作可能な演出操作ボタン(操作ボタン)４６と、前記演出操作ボタン４６に対応して箱状本体４７に収容され、演出操作ボタン４６の押圧変位を検出する操作検出手段(検出手段)４８とを有している。操作検出手段４８は前記サブ制御装置１６に電気的に接続されており(図１３参照)、スロットマシン１０は、操作検出手段４８による演出操作ボタン４６の操作検出に応じてサブ制御装置１６によって遊技演出を切り替え得るよう構成されている。ボタンユニット４５は、前記上壁部２４の裏側において、該上壁部２４と後述する支持部材６６との間に箱状本体４７を取り付けることで、該上壁部２４に形成された前記開口部２４ａから演出操作ボタン４６が上側(表側)に延出するよう構成されている(図３,図５参照)。
【００３１】
前記演出操作ボタン４６は、前記箱状本体４７に収容される基体部４９と、該基体部４９の上面に設けられて上方に突出する操作部５０とを備え、ボタンユニット４５の箱状本体４７を前記上壁部２４の裏側に取り付けた状態で、該操作部５０が上壁部２４の開口部２４ａに移動自在に嵌合されて上側(表側)に延出するよう構成される。なお、演出操作ボタン４６は、光を透過可能な透明または半透明に構成されて、後述する演出ボタン基板５７に設けた発光体５７ａからの光によって明輝し得るようになっている。また、前記箱状本体４７の内底面には、複数箇所(実施例では４箇所)に支持部４７ａが設けられ、これら複数の支持部４７ａに演出ボタン基体５１が支持されている。この演出ボタン基体５１の上面には、コイルバネ等の弾性体５２を保持する弾性体保持部５１ａが設けられており、演出操作ボタン４６の基体部４９を箱状本体４７に収容した状態で、演出操作ボタン４６の操作部５０と弾性体保持部５１ａとの間に介挿された弾性体５２によって該演出操作ボタン４６は表側(上側)に向けて弾力的に付勢されるようになっている。すなわち、演出操作ボタン４６は、箱状本体４７に対して該演出操作ボタン４６の押圧操作方向に進退移動可能な状態で弾性体５２によって支持されている(図５参照)。前記基体部４９の外側面に、内外方向に弾性変形可能な複数の爪部４９ａが設けられると共に、箱状本体４７を画成する壁の各爪部４９ａに対応する位置に、内外方向に貫通する係合孔４７ｂが上下方向に所定長さで形成されている。そして、演出操作ボタン４６は、各爪部４９ａを弾性変形して該爪部４９ａを係合孔４７ｂに臨ませた状態で、前記弾性体５２の弾性によって該演出操作ボタン４６が上側に付勢されることで爪部４９ａが係合孔４７ｂを画成する上縁の壁に下側から係合することで、該演出操作ボタン４６の箱状本体４７からの抜け止めがなされるよう構成される。
【００３２】
前記演出ボタン基体５１には、該演出ボタン基体５１を振動し得る振動モータ等の振動発生源５３が配設されており(図５参照)、該振動発生源５３による演出ボタン基体５１の振動に伴って演出操作ボタン４６を振動し得るよう構成されている。演出ボタン基体５１は、前記箱状本体４７の各支持部４７ａに対してゴム等からなる防振体５４を介して支持されている。実施例では、箱状本体４７の内部後側で左右方向に離間する一対の支持部４７ａ,４７ａの間に、下側に凹む振動発生源用収容室５５ａが画成されており、防振体５４を介して支持部４７ａに支持された演出ボタン基体５１の振動発生源５３が該振動発生源用収容室５５ａに収容されている。なお、演出ボタン基体５１および振動発生源５３は、箱状本体４７に対して防振体５４を介してのみ接触して、振動発生源５３を駆動した際に生ずる振動が箱状本体４７には伝わり難くしてある。また、振動発生源用収容室５５ａを画成する収容室画成壁５５の側面には、内外方向に貫通する配線用孔５５ｂが形成されており(図１２(ｂ)参照)、振動発生源５３に接続する配線が該配線用孔５５ｂを介して箱状本体４７の外部に引き出されて前記サブ制御装置１６に接続されるようになっている。箱状本体４７の下面には、図１２(ｃ)に示す如く、収容室画成壁５５を挟む左右両側に、下側に突出する補助突部５６が夫々突設されている。この補助突部５６の下面は、収容室画成壁５５の下面より所定高さだけ上側に位置しており、後述する支持ベース６７が収容室画成壁５５の下面および補助突部５６の下面の両方に当接して、箱体本体４７(ボタンユニット４５)は支持ベース６７によって下側から支持されるようになっている(図１０参照)。なお、箱状本体４７の底壁には、収容室画成壁５５の前側において上下方向(内外方向)に貫通する配線用開口４７ｃが形成されている。
【００３３】
前記箱状本体４７の内底面には、前記演出ボタン基体５１の下側に、操作検出手段４８を備えた演出ボタン基板５７が配設されている。この演出ボタン基板５７の上面(演出操作ボタン４６の基体部４９と対向する面)には、複数箇所(実施例では３箇所)に操作検出手段４８が配設されると共に、前記演出操作ボタン４６における基体部４９の下面には、各操作検出手段４８に対応する位置に押圧部４９ｂ(図５参照)が夫々設けられている。演出操作ボタン４６は、前記爪部４９ａが弾性体５２の弾性によって係合孔４７ｂ(具体的には係合孔４７ｂを画成する上縁の壁)に係合した状態で、押圧部４９ｂが操作検出手段４８から離れた状態に支持されており、前記操作部５０が押圧操作されると押圧部４９ｂが操作検出手段４８に接触して該操作検出手段４８がボタン操作を検出するよう構成される。また、図１１に示す如く、前記演出ボタン基板５７の上面にはＬＥＤ等の発光体５７ａが複数実装されており、該発光体５７ａによって演出操作ボタン４６を明輝し得るよう構成される。なお、演出ボタン基板５７の下面に設けられた複数のコネクタが箱状本体４７に形成された前記配線用開口４７ｃに臨んでおり、該コネクタに接続して配線用開口４７ｃから下方に引き出された配線が前記サブ制御装置１６に接続されるようになっている。また、箱状本体４７の下面には、図１２(ｃ)に示す如く、配線用開口４７ｃを挟む両側に配線フック４７ｄが設けられており、操作検出手段用のコネクタに接続する配線が一方の配線フック４７ｄに係止されると共に、発光体用のコネクタに接続する配線が他方の配線フック４７ｄに係止されるようになっている。なお、各配線フック４７ｄは、前記補助突部５６の下端より上側に位置しており、該配線フック４７ｄに係止されて箱状本体４７の下面側を引き回される配線が後述する支持ベース６７と箱状本体４７の下面との間で挟み込まれることがないよう構成してある。
【００３４】
ここで、前記演出操作ボタン４６の操作部５０は、図３に示す如く、前記ＭＡＸ投入ボタン３０より大型に形成されて目立つように構成されているため、遊技者が操作部５０を押圧操作する部位によって該演出操作ボタン４６が傾いた姿勢で変位することが想定される。実施例のボタンユニット４５では、演出ボタン基板５７の複数箇所に操作検出手段４８が配設されているので、演出操作ボタン４６が傾いた姿勢となった場合にも何れかの押圧部４９ｂが操作検出手段４８に接触してボタン操作を検出し得るようになっている。
【００３５】
前記箱状本体４７の前部に、図１１,図１２(ａ)に示す如く、該箱状本体４７(ボタンユニット４５)を前記操作盤部２３の裏側に取り付けるためのボタン用被固定部(被固定部)５８が設けられている。このボタン用被固定部５８は、箱状本体４７における左右両側面に設けられて外側方に延出する一対の鍔部５９,５９と、箱状本体４７の下面に左右方向に離間して設けられて下方に所定長さで延出する一対の脚部６０,６０とを備える。各鍔部５９は、上下方向に延在する後壁５９ａと、該後壁５９ａの下端から前方に延在する下壁５９ｂとからなり、後壁５９ａには、前後方向に貫通する第１通孔５９ｃが形成されている。また、各脚部６０は、箱状本体４７の下面から垂下する後壁６０ａおよび左右の側壁６０ｂ,６０ｂと、後壁６０ａおよび左右の側壁６０ｂ,６０ｂの下端に接続する下壁６０ｃとから前側に開口する箱状に形成されている。脚部６０の後壁６０ａには、前後方向に貫通する第２通孔６０ｄが形成されている。そして、第１通孔５９ｃに後側から挿通した固定手段としての第１ネジ６１および第２通孔６０ｄに後側から挿通した固定手段としての第２ネジ６２を介して、当該箱状本体４７(ボタンユニット４５)が前記操作盤部２３の裏側に着脱自在に固定されるようになっている。すなわち、実施例では、箱状本体４７の前部４箇所が操作盤部２３にネジ止め固定されるよう構成してある。なお、前記脚部６０は、前記振動発生源用収容室５５ａを画成する収容室画成壁５５の下面より下方に突出している。
【００３６】
(ボタン用固定部６３について)
前記操作盤部２３における前壁部(取付口２８ａを向く壁部)２５の裏側には、図１０に示す如く、前記上壁部２４から下方(演出操作ボタン４６の押圧操作方向)に離間する位置に、後方(ユニット収納部２８の取付口２８ａ)に向けて延出するボタン用固定部(固定部)６３が設けられている。このボタン用固定部６３は、前記上壁部２４に形成された開口部２４ａを挟む左右に離間する位置に突設されると共に、取付口２８ａに向けて開口する第１ネジ孔６４ａが形成された一対の第１ボタン用固定ボス６４,６４と、該第１ボタン用固定ボス６４,６４から下方に離間する位置において左右に離間して突設されると共に、取付口２８ａに向けて開口する第２ネジ孔６５ａが形成された一対の第２ボタン用固定ボス６５,６５とを備える。
【００３７】
前記ボタン用固定部６３は、前記ユニット収納部２８に箱状本体４７を収納すると共に、前記演出操作ボタン４６の操作部５０が上壁部２４の開口部２４ａに嵌合した取付け位置にボタンユニット４５を位置させた状態で、図６,図７に示す如く、該ボタン用固定部６３を構成する第１ボタン用固定ボス６４の後側(取付口側)に箱状本体４７の前記各鍔部５９(具体的には後壁５９ａ)が重なると共に、該ボタン用固定部６３を構成する第２ボタン用固定ボス６５の後側(取付口側)に箱状本体４７の前記各脚部６０(具体的には後壁６０ａ)が重なる位置に設けられている。また、第１ボタン用固定ボス６４が鍔部５９の下壁５９ｂに当接すると共に、第２ボタン用固定ボス６５が脚部６０の下壁６０ｃに当接することで、ネジ孔６４ａ,６５ａと対応する通孔５９ｃ,６０ｄとが前後に整列するよう構成される。そして、各通孔５９ｃ,６０ｄに後側から挿通したネジ６１,６２を対応するネジ孔６４ａ,６５ａに螺挿することで、箱状本体４７(ボタンユニット４５)が操作盤部２３に対して取付け位置で位置決め固定される。なお、ボタンユニット４５の取付け位置では、前記箱状本体４７の上端が前記上壁部２４の下面(裏面)に当接するようになっている。また、ボタン用固定部６３を介して操作盤部２３に固定されたボタンユニット４５は、前記上壁部２４の開口部２４ａから上側(表側)に延出する操作部５０の押圧面(上面)が、前側に向けて斜め上向き姿勢となるよう構成される。
【００３８】
(支持部材６６について)
前記操作盤部２３における前壁部２５の裏面には、前記ボタン用固定部６３が設けられる位置より下方に離間した位置(演出操作ボタン４６の押圧操作方向に離間する位置)に、後方(ユニット収納部２８の取付口２８ａ)に向けて延出する支持部材６６が設けられている。この支持部材６６は、図５,図１０に示す如く、上壁部２４に形成された前記開口部２４ａの下方に位置するように前壁部２５に一体に設けられており、前記ボタン用固定部６３を介して操作盤部２３の裏側に固定された前記ボタンユニット４５の箱状本体４７を、後述する支持ベース６７を介して該支持部材６６で下側から支持し得るよう構成される。また、支持部材６６の左右方向の幅寸法は、前記箱状本体４７に設けられている一対の脚部６０,６０の離間寸法より短かく設定されており、支持部材６６と上壁部２４との間のユニット収納部２８に前記取付口２８ａを介してボタンユニット４５を挿入する際に、脚部６０,６０の間に支持部材６６を臨ませることでボタンユニット４５の左右方向の変位を規制して、前記操作部５０を上壁部２４における開口部２４ａの下方に案内し得るようになっている。なお、支持部材６６の左右両側には、操作部５０を開口部２４ａの下方に臨ませる位置までボタンユニット４５を挿入する際に脚部６０,６０に干渉する部分は存在しないよう構成される。また、支持部材６６は、前記上壁部２４から演出操作ボタン４６の押圧操作方向に、ボタンユニット４５の高さ寸法(具体的には操作部５０が押圧されていない状態での押圧面から収容室画成壁５５の下面までの長さ)より大きく離間した位置に設けられており、該支持部材６６と上壁部２４との間のユニット収納部２８に対して、前記取付口２８ａを介してボタンユニット４５を支持部材６６および上壁部２４に干渉することなく容易に挿脱し得るよう構成される。なお、支持部材６６の後方への延出寸法は、該支持部材６６の後端が、前記取付け位置におけるボタンユニット４５の収容室画成壁５５の後端より後方に突出しないよう構成される。
【００３９】
(支持ベース６７について)
前記ボタン用固定部６３に固定された箱状本体４７(ボタンユニット４５)と支持部材６６との間に画成される隙間に、前記取付口２８ａを介して支持ベース６７が挿脱自在に挿入されるよう構成される。この支持ベース６７は、前記隙間に挿入した状態で、図５の示す如く、箱状本体４７の下面および支持部材６６の上面の両面に当接して、ボタンユニット４５に掛かる負荷を該支持ベース６７を介して支持部材６６で受け得るよう構成される。すなわち、支持ベース６７は、箱状本体４７(ボタンユニット４５)および支持部材６６における演出操作ボタン４６の押圧操作方向で対向する面の夫々に当接し、該演出操作ボタン４６の前記操作部５０が押圧操作された際に加わる負荷を支持部材６６で受け得るようになっている。
【００４０】
前記支持ベース６７は、箱状本体４７(ボタンユニット４５)および支持部材６６に当接する本体部６８と、該本体部６８における左右両側に設けられて箱状本体４７に当接する補助支持部６９,６９と、各補助支持部６９の前端部に設けられた被固定部としての張出し部７０とを備える。本体部６８の左右方向の幅寸法は、箱状本体４７における前記収容室画成壁５５の左右方向の幅寸法より大きく設定されて、該本体部６８の上面が収容室画成壁５５における下面の全体に当接するよう構成される(図５参照)。また補助支持部６９は、本体部６８の側端縁から上方に延在する規制壁６９ａと、該規制壁６９ａの上端から外側方に延在する当接支持壁６９ｂとからなり、本体部６８の上面に収容室画成壁５５の下面が当接した状態で、図８に示す如く、両補助支持部６９,６９の規制壁６９ａ,６９ａが収容室画成壁５５の左右両側に位置して、箱状本体４７と支持ベース６７との左右方向の相対的な位置規制を行うよう構成される。また、本体部６８の上面に収容室画成壁５５の下面が当接した状態で、両補助支持部６９,６９における当接支持壁６９ｂ,６９ｂの上面に箱状本体４７の前記補助突部５６,５６の下面が当接するよう構成される。
【００４１】
前記支持ベース６７の前記張出し部７０には、前後方向に貫通する通孔７０ａが形成されており、前記本体部６８の上面に収容室画成壁５５の下面が当接した状態で、該張出し部７０が前記箱状本体４７の対応する脚部６０の後側(取付口２８ａ側)に重なると共に、張出し部７０の通孔７０ａと脚部６０の第２通孔６０ｄとが前後に整列するよう構成される(図７参照)。そして、通孔７０ａ,６０ｄに挿通した前記第２ネジ６２を前記第２ボタン用固定ボス６５の第２ネジ孔６５ａに螺挿することで、該支持ベース６７が前記操作盤部２３の裏側に着脱自在に固定されるようになっている。すなわち、実施例では、第２ネジ６２によって支持ベース６７と箱状本体４７とが共締めされるよう構成されている。なお、第２ネジ６２によって支持ベース６７が操作盤部２３に固定される位置を、支持ベース６７の支持位置と指称する場合がある。
【００４２】
前記支持ベース６７の本体部６８は、図５,図７に示す如く、前側から後側に向かうにつれて上下寸法が暫時大きくなる楔状に形成されており、箱状本体４７(ボタンユニット４５)および支持部材６６の間の隙間に該支持ベース６７を前端部側から容易に挿入し得るようになっている。そして、前記操作盤部２３のボタン用固定部６３(第１ボタン用固定ボス６４および第２ボタン用固定ボス６５)に箱状本体４７のボタン用被固定部５８(鍔部５９および脚部６０)が当接して前側への移動が規制された箱状本体４７の脚部６０の後面に支持ベース６７の張出し部７０が当接する位置(支持位置)まで該支持ベース６７を隙間に挿入した状態で、ボタンユニット４５が前記取付け位置に位置するよう構成される。また、脚部６０の後面に張出し部７０が当接した状態で、支持ベース６７における本体部６８の後端が箱状本体４７の収容室画成壁５５の後端に略揃う位置に臨むようになっている。なお、本体部６８の後端には、脚部６０の後面に張出し部７０が当接した状態で、収容室画成壁５５の後面との間に隙間をあけて対向する配線用保持部６８ａが設けられており、前記箱状本体４７の内部から外部に引き出された各種配線を、該配線用保持部６８ａと収容室画成壁５５の後面との間に保持し得るよう構成されている。
【００４３】
(実施例の作用)
次に、前述のように構成された実施例に係るスロットマシン１０の作用につき説明する。
【００４４】
前記ボタンユニット４５を操作盤部２３に取り付ける際には、前記筐体１１に対して前扉１２を開放位置に向けて回動して操作盤部２３の裏側を、作業者が作業を行い得る位置に臨ませる(図２参照)。図９に示す如く、操作盤部２３の裏側に画成されている前記ユニット収納部２８に対し、前記取付口２８ａからボタンユニット４５を挿入し、該ボタンユニット４５の演出操作ボタン４６における操作部５０を前記上壁部２４における開口部２４ａの下方に臨ませる。なお、ボタンユニット４５をユニット収納部２８に挿入する際に、前記箱状本体４７の前部に設けた一対の脚部６０,６０の間に前記支持部材６６を臨ませた状態で該ボタンユニット４５を前側に移動させることで、該支持部材６６によってボタンユニット４５が案内されて開口部２４ａの下方に操作部５０を容易に臨ませることができる。そして、ボタンユニット４５を上方に移動することで、操作部５０を開口部２４ａから上側に延出する取付け位置に位置させる。このとき、前記箱状本体４７の前部に設けた左右の鍔部５９,５９および脚部６０,６０が、前記前壁部２５に設けたボタン用固定部６３の第１ボタン用固定ボス６４,６４および第２ボタン用固定ボス６５,６５の後側に重なるように位置する(図８参照)。
【００４５】
前記取付け位置に位置させたボタンユニット４５と前記支持部材６６との間の隙間に、前記支持ベース６７を取付口２８ａから挿入し、該支持ベース６７の上下面を、ボタンユニット４５(箱状本体４７)および支持部材６６の対向面に夫々当接する(図５〜図７参照)。また、支持ベース６７の前部に設けた前記張出し部７０,７０を、前記ボタンユニット４５の脚部６０,６０の後側に重なるように位置させる。そして、前記ボタンユニット４５の各鍔部５９の第１通孔５９ｃに取付口２８ａ側から挿入した第１ネジ６１を、前記ボタン用固定部６３の対応する第１ボタン用固定ボス６４の第１ネジ孔６４ａに螺挿すると共に、脚部６０と張出し部７０の前後に整列する通孔６０ｄ,７０ａに取付口２８ａ側から挿入した第２ネジ６２を、ボタン用固定部６３の対応する第２ボタン用固定ボス６５の第２ネジ孔６５ａに螺挿することで、該ボタンユニット４５が取付け位置に位置決め固定されると共に、支持ベース６７が支持位置に固定される。
【００４６】
なお、前記ボタンユニット４５と支持部材６６との間に支持ベース６７を挿入する際に、ボタンユニット４５を取付け位置まで移動させておく必要はなく、支持部材６６とボタンユニット４５との間に支持ベース６７の前端部が入るだけの隙間を画成する位置までボタンユニット４５を移動させておけばよい。すなわち、支持ベース６７の本体部６８は楔状に形成されているので、支持部材６６とボタンユニット４５との間に支持ベース６７の前端部を入れた状態で、該支持ベース６７を前側に移動させるだけで、本体部６８の楔作用によってボタンユニット４５は取付け位置まで押上げられるので、支持ベース６７を支持位置に移動させるまでボタンユニット４５を取付け位置に保持しておく必要はなく、作業が楽になる。
【００４７】
前記支持ベース６７の支持位置では、図５〜図７に示す如く、該支持ベース６７の上下面が、ボタンユニット４５および支持部材６６の対向面に夫々当接して、ボタンユニット４５に掛かる負荷を、支持ベース６７を介して支持部材６６で受け得る状態となる。すなわち、前記操作部５０を押圧操作した際にボタンユニット４５に加わる負荷(押圧力)は、該ボタンユニット４５を操作盤部２３に対して固定するボタン用固定部６３とボタン用被固定部５８との固定部分(取り付け部分)のみに掛かることなく、操作盤部２３に設けられている支持部材６６で受けることができる。すなわち、ボタンユニット４５の操作盤部２３に対する固定部分(取り付け部分)が緩んだり破損等するのを抑制することができ、該固定部分(取付け部分)の耐久性を向上し得る。従って、ボタンユニット４５を長期に亘って適正な位置に保持することができ、前記操作部５０が押圧操作された際の検出精度が低下するのを抑制することができる。
【００４８】
前記操作盤部２３からボタンユニット４５を取り外す場合は、取り付ける場合とは逆に、前記第１ネジ６１および第２ネジ６２を取付口２８ａ側から弛み外した後、支持ベース６７を取付口２８ａから取り出す。そして、ボタンユニット４５の操作部５０を前記開口部２４ａから下側(操作盤部２３の裏側)に抜いた状態で、該ボタンユニット４５を取付口２８ａから取り出すことで作業は完了する。すなわち、前記操作盤部２３に対してボタンユニット４５および支持ベース６７は、何れも操作盤部２３の裏側から取り付けたり取り外すことができるので、ボタンユニット４５の交換作業を容易に行うことができる。また、前記ユニット収納部２８に対してボタンユニット４５を収納する取付口２８ａ側から該ボタンユニット４５のボタン用被固定部５８をボタン用固定部６３にネジ止めする作業やネジ６１,６２を弛み外す作業を行い得るので、ボタンユニット４５の交換時における作業性が向上する。すなわち、従来のようにボタンユニット４５を操作盤部２３における上壁部２４に下側からネジ止め固定する場合は、固定部分を視認するためにかがむような窮屈な姿勢を作業者に強いることとなるが、実施例のように取付口２８ａに向く前壁部２５にボタン用固定部６３を設けてネジ６１,６２を取付口２８ａ側から扱い得るよう構成することで、作業者に窮屈な姿勢を強いることなく楽に作業を行い得る。
【００４９】
また、前記操作盤部２３における上壁部２４の開口部２４ａに対してボタンユニット４５の操作部５０を下側(裏側)から挿通するよう構成したので、該開口部２４ａの開口寸法を操作部５０が通るだけの必要最小限とすることができ、上壁部２４の強度低下を抑えることができる。
【００５０】
ここで、前記上壁部２４の開口部２４ａに操作部５０が臨む位置にボタンユニット４５を安定して固定するためには、該ボタンユニット４５の前後方向の中央付近を上壁部２４に固定することが望ましい。しかしながら、上壁部２４における開口部２４ａの近傍にボタン用固定部を設けると、ボタンユニット４５を取付け位置に臨ませる際に、該ボタン用固定部が邪魔となって作業性が低下するおそれがある。これに対し、実施例のように前壁部２５にボタン用固定部６３を設けておけば、ボタンユニット４５を取付け位置に臨ませる際にボタン用固定部６３が邪魔となることはなく、作業性は向上する。また、ボタンユニット４５の前部を操作盤部２３に固定したもとで、該固定部分から離間したボタンユニット４５の後部側を前記支持ベース６７を介して支持部材６６で下側から支持するよう構成したので、演出操作ボタン４６の操作時に作用する押圧力が固定部分に加わるのを抑えることができ、該固定部分の固定状態が緩んだりボタン用被固定部５８やボタン用固定部６３が破損等するのを防止することができる。すなわち、実施例のスロットマシン１０では、操作盤部２３に対するボタンユニット４５の着脱時の作業性を向上しつつ、該操作盤部２３に固定されたボタンユニット４５の固定状態を長期に亘って安定して維持することができる。
【００５１】
(変更例)
本願発明は、前述した実施例の構成に限定されるものではなく、その他の構成を適宜に採用することができる。
(1) 実施例では、前扉に支持部材を一体に設けた場合で説明したが、前扉と別体で構成した支持部材を前扉にネジ等の固定手段により取り付ける構成を採用し得る。
(2) 実施例では、ボタンユニットが着脱自在に配設される前扉に支持部材を設けた場合で説明したが、該支持部材は、ボタンユニットが着脱自在に配設される部材とは別の部材に設けられたものであってもよい。すなわち、ゲーム(遊技)が行われている状態で、ボタンユニットの演出操作ボタンを押圧操作した際に掛かる負荷を支持ベースを介して受け得る位置に支持部材が位置するものであればよい。例えば、筐体やリール・制御ユニットに支持部材を設け、前扉を筐体に対して閉成することで該支持部材が支持ベースに当接する構成を採用し得る。
(3) 実施例では、ボタンユニット(箱状本体)を操作盤部(前扉)に着脱自在に固定するための第２ボタン用固定ボスおよび第２ネジを介して支持ベースを操作盤部(前扉)に着脱自在に固定するよう構成したが、該支持ベースを操作盤部(前扉)に着脱自在に固定する専用の固定部や固定手段を用いる構成を採用し得る。
(4) 実施例は、支持ベースの本体部を楔状に形成したが、ボタンユニットと支持部材との対向面に当接し得る形状であれば、前後で厚み寸法が変化しない形状であってもよい。
(5) 実施例では、操作検出手段による演出操作ボタンの操作検出に応じてサブ制御装置によって遊技演出を切り替えるよう構成したが、操作検出手段をメイン制御装置に接続し、該操作検出手段による演出操作ボタンの操作検出に応じてメイン制御装置によってリールを用いた演出を切り替え得る構成を採用し得る。
(6) 実施例では、当選役の報知や演出のための動画等を表示可能な表示装置を設けたスロットマシンを挙げたが、該表示装置を備えていないものであってもよい。
(7) 遊技機としては、メダルを用いるスロットマシンに限られるものではなく、遊技媒体としてパチンコ球(遊技球)を用いたパチンコ機やアレンジボール機、あるいはパチンコ球を用いたスロットマシン等、その他各種の遊技機であってもよい。
【００５２】
ここで、パチンコ機の構成を簡単に説明すると、図１４に示す如く、パチンコ機８０は、矩形枠状に形成されて遊技店の図示しない設置枠台に固定される固定枠としての外枠８１の開口前面側に、遊技盤８２を着脱可能に保持する本体枠としての中枠８３が開閉および着脱可能に組み付けられると共に、遊技盤８２の後側に、図柄を変動表示可能な表示装置８４が着脱し得るよう配設されている。また、中枠８３の前面側には、遊技盤８２を透視可能に保護する装飾枠としての前枠(前面部材)８５が開閉可能に組み付けられると共に、該前枠８５の下方にパチンコ球を貯留する下球受け皿８７が開閉可能に組み付けられる。また、前枠８５の下部位置に、パチンコ球を貯留する上球受け皿８６が一体的に組み付けられており、前枠８５の開閉に合わせて上球受け皿８６も一体的に開閉するよう構成される。
【００５３】
前記前枠８５には、下球受け皿８７の右側方に、前記中枠８３に配設された打球発射装置(図示せず)を作動する操作ハンドル８８が設けられ、該操作ハンドル８８の操作によって打球発射装置が作動されて、前記上球受け皿８６に貯留されたパチンコ球が遊技盤８２の前面に画成された遊技領域８２ａに向けて発射されるようになっている。また、前枠８５には、ランプ装置８９やスピーカ９０が配設されており、前記表示装置８４での図柄変動演出に合わせてランプ装置８９で発光演出を行ったりスピーカ９０で音演出を行うことで演出の興趣を高め得るよう構成されている。
【００５４】
そして、前述したように構成されたパチンコ機８０では、前記前枠８５に設けられた上球受け皿８６に、遊技者が操作可能な演出操作ボタン９２を備えたボタンユニット９１が設けられており、該パチンコ機８０は、演出操作ボタン９２が接続される制御装置によって、演出操作ボタン９２の押圧操作に応じて表示装置８４、ランプ装置８９、スピーカ９０等の演出装置による遊技演出を切り替え得るよう構成されている。すなわち、パチンコ機８０は、実施例で説明したスロットマシン１０と同様の機能を有するボタンユニット９１を備えており、該ボタンユニット９１の上球受け皿８６(前枠８５)に対する取り付けおよび支持構造とし、前述したスロットマシン１０で用いた構造を採用することができる。なお、パチンコ機８０では、前枠８５を開放することで上球受け皿８６におけるボタンユニット９１の取り付け部が作業可能に露出するものであればよい。また、ボタンユニット９１が配設される球受け皿が前枠８５や中枠８３に対して開閉自在に配設されたものであってもよく、この場合には球受け皿が前面部材となる。
【符号の説明】
【００５５】
１２ 前扉(前面部材)
２４ 上壁部(壁部)
２４ａ 開口部
２５ 前壁部(壁部)
２８ ユニット収納部
２８ａ 取付口
４５ ボタンユニット
４６ 演出操作ボタン(操作ボタン)
５８ ボタン用被固定部(被固定部)
６１ 第１ネジ(固定手段)
６２ 第２ネジ(固定手段)
６３ ボタン用固定部(固定部)
６６ 支持部材
６７ 支持ベース
【図１】
2016036580.tif 000003
【図２】
2016036580.tif 000004
【図３】
2016036580.tif 000005
【図４】
2016036580.tif 000006
【図５】
2016036580.tif 000007
【図６】
2016036580.tif 000008
【図７】
2016036580.tif 000009
【図８】
2016036580.tif 000010
【図９】
2016036580.tif 000011
【図１０】
2016036580.tif 000012
【図１１】
2016036580.tif 000013
【図１２】
2016036580.tif 000014
【図１３】
2016036580.tif 000015
【図１４】
2016036580.tif 000016